(57)【要約】【課題】住宅内におけるヒートショックを効果的に和らげる。【解決手段】住宅内における隣り合う２つの空間１，２のうちの一方の空間１に設置された空調機１１と、他方の空間２に設置された温度センサ７と、上記２つの空間の間をつなぐ開口部３０と、この開口部に配された開口面積が可変である通風部５と、上記空調機が備える温度センサ１２と上記他方の空間に配された温度センサ７とから得られる２つの空間の室温差に応じて上記通風部の開口面積を変化させる制御部８とからなる。【選択図】図１
2015169395.tif 000002
【特許請求の範囲】
【請求項１】
住宅内における隣り合う２つの空間のうちの一方の空間に設置された空調機と、他方の空間に設置された温度センサと、上記２つの空間の間をつなぐ開口部と、この開口部に配された開口面積が可変である通風部と、上記空調機が備える温度センサと上記他方の空間に配された温度センサとから得られる２つの空間の室温差に応じて上記通風部の開口面積を変化させる制御部とからなることを特徴とする住宅内温度制御装置。
【請求項２】
上記制御部は、上記通風部の開口面積を変化させるにあたり、上記空調機の出力も変更することを特徴とする請求項１記載の住宅内温度制御装置。
【請求項３】
上記制御部は、上記通風部の開口面積を変化させるにあたり、上記空調機の風向きも変更することを特徴とする請求項１記載の住宅内温度制御装置。
【請求項４】
住宅内における隣り合う２つの空間のうちの一方の空間に設置された空調機と、他方の空間に設置された温度センサと、上記２つの空間の間をつなぐ開口部と、この開口部に配された開口面積が可変である通風部と、上記空調機が備える温度センサと上記他方の空間に配された温度センサとから得られる２つの空間の室温差が設定値以上のとき、または上記他方の空間に配された温度センサから得られる他方の空間の室温が設定値以下のときに、上記通風部の開口面積を両空間の室温差に応じて変化させるとともに上記空調機の出力を変更する制御部とからなることを特徴とする住宅内温度制御装置。
【発明の詳細な説明】
【技術分野】
【０００１】
本発明は、住宅内温度制御装置、殊に仕切られた空間を複数備えている住宅内の温度制御装置に関するものである。
【背景技術】
【０００２】
住宅内には複数の仕切られた空間があり、ある空間は空調機等の冷暖房機器を備えた居室として利用される。しかし、廊下、脱衣室、クローゼット、階段室等の空間（非居室）には冷暖房機器を設置していないのが通常である。このために、例えば冬季の暖房が効いた居室にいた人は、非居室に移動した際にヒートショックで体調を崩してしまうことがある。
【０００３】
特許文献１には、非居室である脱衣室に、暖気発生装置を備えるユーティリティルームから暖気を導く通気路とこの通気路を開閉する開閉装置を設けて、脱衣室の温度が所定温度以下のときに、通気路を開くものが示されている。
【０００４】
この場合、非居室の温度が所定値以上であっても、居室の温度との温度差が大である時には、ヒートショックを招いてしまう虞がある。
【先行技術文献】
【特許文献】
【０００５】
【特許文献１】特開２０１０−８５０１６号公報
【発明の概要】
【発明が解決しようとする課題】
【０００６】
本発明は上記問題に鑑みてなされたもので、住宅内におけるヒートショックを効果的に和らげることができる住宅内温度制御装置を提供することを課題とする。
【課題を解決するための手段】
【０００７】
本発明にかかる住宅内温度制御装置は、住宅内における隣り合う２つの空間のうちの一方の空間に設置された空調機と、他方の空間に設置された温度センサと、上記２つの空間の間をつなぐ開口部と、この開口部に配された開口面積が可変である通風部と、上記空調機が備える温度センサと上記他方の空間に配された温度センサとから得られる２つの空間の室温差に応じて上記通風部の開口面積を変化させる制御部とからなることに特徴を有している。
【０００８】
上記制御部は、上記通風部の開口面積を変化させるにあたり、上記空調機の出力も変更するものであったり、上記空調機の風向きも変更するものであってもよい。
【０００９】
また本発明は、住宅内における隣り合う２つの空間のうちの一方の空間に設置された空調機と、他方の空間に設置された温度センサと、上記２つの空間の間をつなぐ開口部と、この開口部に配された開口面積が可変である通風部と、上記空調機が備える温度センサと上記他方の空間に配された温度センサとから得られる２つの空間の室温差が設定値以上のとき、または上記他方の空間に配された温度センサから得られる他方の空間の室温が設定値以下のときに、上記通風部の開口面積を両空間の室温差に応じて変化させるとともに上記空調機の出力を変更する制御部とからなることに特徴を有している。
【発明の効果】
【００１０】
本発明によれば、２つの空間の室温差に応じて通風部が開口面積を変化させるために、２つの空間の室温差を適切に小さくすることができるものであり、しかも室温差がなくなるように働くことから、ヒートショックを確実に抑制することができる。
【図面の簡単な説明】
【００１１】
【図１】本発明の実施例のブロック図である。
【図２】同上の通風部を示す斜視図である。
【図３】同上の通風部の他の例を示す断面図である。
【発明を実施するための形態】
【００１２】
以下、本発明を図示の実施例に基づいて詳述すると、図１において、図中１，２はいずれも住宅内における空間であり、両空間１，２のうち、空間１のみに空調機１１が設置されている。そして、空間１と空間２との間を仕切っている壁３には、両空間１，２の間をつなぐ開口部３０が設けられており、ドア４によって開閉自在とされている。また、上記開口部３０のドア４よりも上方の部分には、図２にも示すように開口面積が可変となっている通風部５が設けられている。上記通風部５は、上端側を支点として、空間２側に回転自在となっている開閉板５０を備えたもので、この開閉板５０は、駆動部６によって回転駆動される。駆動部６としては、ステッピングモータ、電動アクチュエータ等を用いることができる。
【００１３】
一方、空間２の内壁には温度センサ７が配されており、上記駆動部６の駆動制御を行う制御部８に、上記温度センサ７と、空間１に設置された空調機１１とが接続されている。制御部８は、空間２に配された温度センサ７によって空間２の室温を取り込むとともに、空調機１１が室温制御のために備えている温度センサ１２によって空間１の室温を取り込む。
【００１４】
そして制御部８は、両温度センサ７，１２から取り込んだ両空間１，２の室温の差に応じて上記開閉板５０の角度を制御することで、通風部５の開口面積を変化させる。
【００１５】
通風部５の開口面積は、通常時、開閉板５０が鉛直状態にあって、通風部５の開口面積はゼロとなっているが、制御部８及び駆動部６の電源を投入すれば、制御部８は両空間１，２の室温を取り込み、室温差が無ければ、開口面積ゼロの状態を維持する。
【００１６】
しかし、空間１の室温が冷暖房機器１の動作等の関係で空間２の室温よりも高く、且つ両空間１，２の室温差が予め設定された所定値を超えていたならば、制御部８は駆動部６を駆動することで開閉板５０を回転させる。この時、制御部８は、両空間１，２の室温差に応じた角度だけ開閉板５０を回転させることから、通風部５の開口面積は、室温差が小さければ小さい状態に保持され、室温差が大きければ大きい状態に保持される。
【００１７】
そして両空間１，２の上部間をつなぐ通風部５を通じた空気の出入りによって、空間２の室温が上昇し、両空間１，２の温度が前記所定値内になれば、制御部８は通風部５を閉じる。開口部３０の位置は、冬季の暖房時のことを考えると、空間１，２を仕切る間仕切りである壁３の上部に設けることが好ましい。
【００１８】
空間１と空間２との間をつなぐ開口部３０は、壁３に設ける他、図３に示すように、天井内に配したダクト３１としてもよい。ダクト３１の両端が夫々開口する各空間１，２の天井面には、夫々ルーバー５１，５２を配置するとともに、少なくとも一方のルーバー５１，５２をシャッター型のものとすることで、開口面積可変の通風部５とする。また、ダクト３１内には送風機９を配して、両空間１，２の室温差に応じて、上記ルーバー５１，５２を開く時、送風機９も作動させることで、ダクト３１を介した両空間１，２間の通風を確保してもよい。なお、送風機９は、一方の空間１から他方の空間２への空気の移動を補助するもので、通風量はルーバー５２の開口面積を変化させることで調整する。ルーバー５１もシャッター型の開口面積可変のものとしてもよい。
【００１９】
両空間１，２の室温差が大きくなれば、制御部８が通風部５の開口面積を変更するだけでなく、空調機１１の出力や風向きも変更するようにしてもよい。つまり、室温差が大で通風部５の開口面積を大きくした時には、空調機１１の出力を増加させたり、風向きを通風部５に向かう方向となるように変更する。
【００２０】
通風部５が開くことで空間１内の暖かい空気が室温の低い空間２に向かう時、空間１の温度も低下することから、一定室温を保つように動作している空調機１１は、室温低下に応じて出力を増加させる。しかし、この場合、タイムラグがあるために、一時的に空間１の室温が低下してしまう。これに対して、通風部５の開口面積を大きくすると同時に空調機１１の出力を増加する場合、空間１の室温の一時低下を抑えながら空間２の室温を上げることができる。なお、空調機１１の出力増加と風向き変更のいずれか一方だけを行うものであってもよい。
【００２１】
そして、通風部５の開口面積を変更すると同時に空調機１１の出力も変更するものにおいては、両空間１，２の室温差に応じてだけでなく、空間２の室温値のみに応じて通風部５の開口面積の変更と空調機１１の出力変更とを行ってもよい。つまり、空間２の室温が予め定めた設定値よりも低くなれば、通風部５の開口面積を大きくすると同時に空調機１１の出力を増加させるのである。両空間１，２の室温差があまり大きくなくても、空間１よりも室温が低い空間２の室温が低すぎれば、ヒートショックを招く虞があるが、これを防ぐことができる。
【００２２】
開口面積を室温差に応じて変化させる通風部５として、複数例を示したが、これらに限定されるものではなく、開口面積を変化させることで両空間１，２間の通風量を変えるものであれば、どのような形態であってもよい。また、冬季の暖房時を想定した例を示したが、夏期の冷房時にも両空間１，２の室温差に応じて通風部５が開口面積を変化させるようにしてもよい。この場合、通風部５は空間１，２の下部間を連通させるものが好ましい。
【００２３】
制御部８と空調機１１との接続は、有線ではなく、無線で行ってもよい。通常、空調機１１は、そのリモートコントローラとの間で出力や風向き変更のための信号の授受に加えて、空調機１１が備える温度センサ１２で測定された室温をリモートコントローラ側に送っている。この点を利用することで、制御部８と空調機１１との無線接続を簡便に行うことができる。制御部８と駆動部６との間も無線接続とすれば、制御部８を空間１内の操作しやすいところに配置することができる。
【符号の説明】
【００２４】
１  空間
２  空間
５  通風部
６  駆動部
７  温度センサ
８  制御部
１１  空調機
１２  温度センサ
【図１】
2015169395.tif 000003
【図２】
2015169395.tif 000004
【図３】
2015169395.tif 000005